(57)【要約】      （修正有）【課題】プラスチックパレットに取付けることでそれ自体が遮熱及び断熱材として使用可能となるパレットカバーを提供する。【解決手段】パレットカバーは、耐候性のある素材とし、プラスチックパレット上面８及び側面７を覆うことができる底の浅い蓋状のものとし、側面の立ち上り部２の深さを６０ｍｍ以下とし、立ち上り部２の四隅のうちの一つは、プラスチックパレットに着脱容易になるよう切込み４が入っており、取付け具合を調整または固定するための面ファスナー５を施すことでプラスチックパレットに装着しやすく、その一体となったものを建物や構造物の屋根や壁面に設置することで遮熱及び断熱効果が得られる。【選択図】図１
0003216003.tif 000002
【実用新案登録請求の範囲】
【請求項１】
耐候性のあるシートをプラスチックパレット上面９及び側面７を覆うことができる箱状のものに溶着又は縫製し、プラスチックパレット上面９に被せることで、その一体となったものが建物の屋根や壁の遮熱・断熱材として使用可能となることを目的とするパレットカバー。
【請求項２】
シートの素材が、ポリエチレン、塩化ビニールを主体とした耐候性のある請求項１のパレットカバー。
【請求項３】
シートの形状が、フィルム状であり開口を有するもの、またはフィルム状であり開口を有しないもの、または網状のものでありながら遮光性の高い請求項１のパレットカバー。
【請求項４】
図２の取付け調整部が、マジックテープ５を施してある、または紐やロープで結ぶことができるパレットカバー。
【請求項５】
プラスチックパレット本体９に設置する際、パレットカバー本体１０をビスにて留め付けることが可能なもの、またはパレットカバー本体１０の立ち上がり部を熱溶着にて留め付けることが可能なもの、または粘着テープにて取り付けることが可能な請求項１のパレットカバー。
【考案の詳細な説明】
【技術分野】
【０００１】  本考案は、プラスチックパレットに被せるだけでコンクリート屋根の遮熱及び断熱材として使用できるパレットカバーに関するものである。
【背景技術】
【０００２】  従来、コンクリート屋根の遮熱及び断熱については、屋上緑化が一般的である。屋上緑化は、費用が高額な上、灌水設備も必要になり、施工したエリアへの立ち入りが困難になるため、スペースの有効活用ができなくなる。
また、従来のパレットカバーは、搬送用のパレットを保管する際、防塵及び防滴及び荷崩れ防止のためのものである。
【先行技術文献】
【特許文献】
【０００３】
【特許文献１】実用新案登録第３１４７３２４号（Ｕ３１４７３２４）
【特許文献２】特開２００７−１４３４３８（Ｐ２００７−１４３４３８Ａ）
【考案の概要】
【考案が解決しようとする課題】
【０００４】  本考案は、日射の影響を受ける屋根や壁の遮熱及び断熱を専門的な技術が必要な工事や付帯設備を無くすことで、低価格を実現し、施工後も定期的なメンテナンスが不要であるため、ランニングコストもかからない。また、施工したエリアも施工前と変わらずに有効活用できる空間をこれによって提供することにある。
【課題を解決するための手段】
【０００５】  耐候性のあるシートをプラスチックパレット上面９及び側面７を覆うことができる箱状のものに溶着又は縫製し、プラスチックパレット上面９に被せることで、その一体となったものが建物の屋根や壁の遮熱・断熱材として使用可能となる。【０００６】  シートの素材が、ポリエチレン、塩化ビニールを主体とした耐候性のあるもの。【０００７】  シートの形状が、フィルム状であり開口を有するもの、またはフィルム状であり開口を有しないもの、または網状のものでありながら遮光性の高いもの。【０００８】  図２の取付け調整部が、マジックテープ５を施してある、または紐やロープで結ぶことができるもの。【０００９】  プラスチックパレット本体９に設置する際、パレットカバー本体１０をビスにて留め付けることが可能なもの、またはパレットカバー本体１０の立ち上がり部を熱溶着にて留め付けることが可能なもの、または粘着テープにて取り付けることが可能なもの。
【考案の効果】
【００１０】  本考案には電気も水も、特別な旋工技術も知識も必要としないため、コストを抑えることができる。プラスチックパレットの厚みと隙間のある本体構造によって、通気が容易となるため、遮熱及び断熱の効果が得られる。建物や構造物に日射を直接当たらなくため、屋根や壁などの外装材を紫外線による劣化から防ぐことができることで建物寿命を延ばすことができる。積雪にも強く、冬期、特に積雪時は建物の保温効果を実現する。日本国内だけでなく海外においても容易に調達できるプラスチックパレットを構造の一部として採用することで、特別な技術も必要なく施工が可能となり、それを維持するための屋上緑化のような専用の灌水設備などの付帯設備もメンテナンス技術も必要なく、施工したエリアも有効に活用できる空間を提供することができる。【００１１】  耐候性のあるシート素材を採用することで、プラスチックパレットの紫外線による劣化を防ぎ、パレットカバー自体も１０年以上の商品寿命が実現可能となる。シートは熱溶着や縫製などの加工が容易であり、製作コストも低減できる。様々なプラスチックパレットのサイズに対してもそれにあったパレットカバーの製作も容易である。
【図面の簡単な説明】
【００１２】
【図１】本考案に係るプラスチックパレット本体にパレットカバーを装着した際の投影図。
【図２】パレットカバー取付け調整部分の拡大図。
【考案を実施するための形態】
【００１３】  パレットカバー本体は、プラスチックパレットの上面部の縦横の寸法に対し、＋５ｍｍ程度大きいものとすることでプラスチックパレットの上面部を隙間なく覆うことができる。また、プラスチックパレットの側面のフォークリフトの差込口を塞がないように覆うことのできる蓋状のものとする。
側面部において、四隅の一つは切込みが入っており、パレットカバーをプラスチックパレットに被せる際に被せやすいようになっている。切込み部分には、マジックテープなどの留め付けの際の調整するものがあり、パレットカバー本体が外れにくいようになっている。
【実施例】
【００１４】  プラスチックパレットの上面及び側面の上部を覆うことのできるパレットカバーをプラスチックパレットに被せ、外れないように取付け調整用マジックテープで隙間がないように取り付ける。【００１５】  以下、図面１に従って一実施例を説明する。１０は耐候性のあるシートをプラスチックパレット上面８及び側面７を覆うことができる箱状のものに溶着又は縫製したパレットカバー本体、９はプラスチックパレット本体で、パレットカバー本体１０をプラスチックパレット上面８と側面７の一部を覆うように被せることで、その一体となったものが建物の屋根や壁の遮熱及び断熱材として使用可能となる。【００１６】  パレットカバー本体１０は、図１に示すようにプラスチックパレット本体９に容易に被せることができるように、立ち上り部２が５ｃｍ程度と、底の浅い箱状のものとなっている。立ち上り部２が５ｃｍ程度となっている理由は、プラスチックパレット側面７をすべて覆わないことで、プラスチックパレット側面部７にあるフォークリフト差込口６からプラスチックパレット本体９内部に風が通るような構造を妨げないためである。フォークリフト差込口６があることで、通気が可能となり、遮熱及び断熱効果は高まる。図２は図１の拡大図となっており、立ち上り部２の四隅の一つに取付け調整が容易になるように切込み４及びマジックテープ５が施してある。
【符号の説明】
【００１７】      １          パレットカバー本体上面
２          立ち上がり部
３、３’    折り線
４          切り込み
５          マジックテープ（取付け調整部）
６          フォークリフト差し込み部
７          プラスチックパレット側面
８          プラスチックパレット上面
９          プラスチックパレット本体
１０          パレットカバー本体
【図１】
0003216003.tif 000003
【手続補正書】
【提出日】平成29年12月13日(2017.12.13)
【手続補正１】
【補正対象書類名】実用新案登録請求の範囲
【補正対象項目名】全文
【補正方法】変更
【補正の内容】
【実用新案登録請求の範囲】
【請求項１】
耐候性のあるシートをプラスチックパレット上面８及び側面７を覆うことができる箱状のものに溶着又は縫製し、プラスチックパレット上面８に被せることで、その一体となったものが建物の屋根や壁の遮熱・断熱材として使用可能となることを目的とするパレットカバー。
【請求項２】
シートの素材が、ポリエチレン、塩化ビニールを主体とした耐候性のある請求項１のパレットカバー。
【請求項３】
シートの形状が、フィルム状であり開口を有するもの、またはフィルム状であり開口を有しないもの、または網状のものでありながら遮光性の高い請求項１のパレットカバー。
【請求項４】
プラスチックパレット本体９に設置しやすいように面ファスナー５を施してある、または紐やロープで結ぶことができるパレットカバー。
【請求項５】
プラスチックパレット本体９に設置する際、パレットカバー本体１０をビスにて留め付けることが可能なもの、またはパレットカバー本体１０の立ち上がり部を熱溶着にて留め付けることが可能なもの、または粘着テープにて取り付けることが可能な請求項１のパレットカバー。
【手続補正２】
【補正対象書類名】明細書
【補正対象項目名】０００８
【補正方法】変更
【補正の内容】
【０００８】  プラスチックパレット本体９に設置しやすいように面ファスナー５を施してある、または紐やロープで結ぶことができるもの。
【手続補正３】
【補正対象書類名】明細書
【補正対象項目名】００１２
【補正方法】変更
【補正の内容】
【００１２】
【図１】本考案に係るプラスチックパレット本体にパレットカバーを装着した際の投影図。
【手続補正４】
【補正対象書類名】明細書
【補正対象項目名】００１３
【補正方法】変更
【補正の内容】
【００１３】  パレットカバー本体は、プラスチックパレットの上面部の縦横の寸法に対し、＋５ｍｍ程度大きいものとすることでプラスチックパレットの上面部を隙間なく覆うことができる。また、プラスチックパレットの側面のフォークリフトの差込口を塞がないように覆うことのできる蓋状のものとする。
側面部において、四隅の一つは切込みが入っており、パレットカバーをプラスチックパレットに被せる際に被せやすいようになっている。切込み部分には、面ファスナーなどの留め付けの際の調整するものがあり、パレットカバー本体が外れにくいようになっている。
【手続補正５】
【補正対象書類名】明細書
【補正対象項目名】００１４
【補正方法】変更
【補正の内容】
【００１４】  プラスチックパレットの上面及び側面の上部を覆うことのできるパレットカバーをプラスチックパレットに被せ、外れないように取付け調整のための面ファスナーで隙間がないように取り付ける。
【手続補正６】
【補正対象書類名】明細書
【補正対象項目名】００１５
【補正方法】変更
【補正の内容】
【００１５】  以下、図１に従って一実施例を説明する。１０は耐候性のあるシートをプラスチックパレット上面８及び側面７を覆うことができる箱状のものに溶着又は縫製したパレットカバー本体、９はプラスチックパレット本体で、パレットカバー本体１０をプラスチックパレット上面８と側面７の一部を覆うように被せることで、その一体となったものが建物の屋根や壁の遮熱及び断熱材として使用可能となる。
【手続補正７】
【補正対象書類名】明細書
【補正対象項目名】００１６
【補正方法】変更
【補正の内容】
【００１６】  パレットカバー本体１０は、図１に示すようにプラスチックパレット本体９に容易に被せることができるように、立ち上り部２が５ｃｍ程度と、底の浅い箱状のものとなっている。立ち上り部２が５ｃｍ程度となっている理由は、プラスチックパレット側面７をすべて覆わないことで、プラスチックパレット側面部７にあるフォークリフト差込口６からプラスチックパレット本体９内部に風が通るような構造を妨げないためである。フォークリフト差込口６があることで、通気が可能となり、遮熱及び断熱効果は高まる。立ち上り部２の四隅の一つに取付け調整が容易になるように切込み４及び面ファスナー５が施してある。
【手続補正８】
【補正対象書類名】明細書
【補正対象項目名】００１７
【補正方法】変更
【補正の内容】
【００１７】    １          パレットカバー本体上面
２          立ち上がり部
３、３｀        折り線
４          切り込み
５          面ファスナー
６          フォークリフト差し込み部
７          プラスチックパレット側面
８          プラスチックパレット上面
９          プラスチックパレット本体
１０          パレットカバー本体
【手続補正書】
【提出日】平成30年2月14日(2018.2.14)
【手続補正１】
【補正対象書類名】実用新案登録請求の範囲
【補正対象項目名】全文
【補正方法】変更
【補正の内容】
【実用新案登録請求の範囲】
【請求項１】
耐候性のあるシートをプラスチックパレット上面８及び側面７を覆うことができる箱状のものに溶着又は縫製し、プラスチックパレット上面８に被せることで、その一体となったものが建物の屋根や壁の遮熱・断熱材として使用可能となることを目的とするパレットカバー。
【請求項２】
シートの素材が、ポリエチレン、塩化ビニールを主体とした耐候性のある請求項１のパレットカバー。
【請求項３】
シートの形状が、フィルム状であり開口を有するもの、またはフィルム状であり開口を有しないもの、または網状のものでありながら遮光性の高い請求項１のパレットカバー。
【請求項４】
プラスチックパレット本体９に設置しやすいように面ファスナー５を施してある、または紐やロープで結ぶことができる請求項１のパレットカバー。
【請求項５】
プラスチックパレット本体９に設置する際、パレットカバー本体１０をビスにて留め付けることが可能なもの、またはパレットカバー本体１０の立ち上がり部を熱溶着にて留め付けることが可能なもの、または粘着テープにて取り付けることが可能な請求項１のパレットカバー。